(57)【要約】【課題】  プリーツ型家庭用マスクにおいて、着用したままで飲食が平易にできて、かつ新型コロナ対策にも感染防止効果を得られるマスクの提供。【解決手段】  プリーツ型家庭用マスク１の左右両端の縁固め部分６の上部のみに、耳かけゴム２が一本ずつ設けられ、それぞれ一本の前記耳かけゴム２の両端の一部が当該マスク１に接合されて、耳にかける輪っか５を形成する。この当該マスク１は、左右ともに当該マスク１の上部のみで前記耳かけゴム２が接合されていることを特徴とし、ノーズフィッター４で目から下を押圧することにより、鼻から下がフェイスガード状となって空間が生じる。当該マスク１の下の部分の持上げが平易になり、着用したままでの楽な飲食が可能になる。飲食中必要な場合は、当該マスク１の下部を引き下げてプリーツ３を広げれば顎の下までしっかり覆いかぶせることができるので、適切な感染防止対策も可能。【選択図】図２
0003235408.tif 000002
【実用新案登録請求の範囲】
【請求項１】
プリーツ型家庭用マスク１において、左右に一本ずつ設けられる耳かけゴム２が、それぞれ一本の耳かけゴム２の両端ともに前記プリーツ型家庭用マスク１の上部のみで接合され、前記二本の耳かけゴム２は左右対称の部位で設置された形態で耳にかける輪っか５が形成されていることを特微とする家庭用マスク。
【考案の詳細な説明】
【技術分野】
【０００１】  本考案は、新型コロナウィルス対策で使用する家庭用マスクに関する。
【背景技術】
【０００２】  現在、マスクには使用用途に合わせた素材やデザインなど様々な種類があり、大きく分けて家庭用、医療用、防塵用がある。さらに、一般的な家庭用マスクの形状は、「平型」「プリーツ型」「立体型」の三種類があり、コロナ禍でのウイルス対策で各種使用されている。感染リスクの抑制効果を高めるために飛沫飛散抑制に優れた各種技術が公表され、また抗菌防臭、通気性、装着感に優れたマスクが多く提供されている。しかしながらこれまでは、飲食時にも取り外さずにそのまま使える家庭用マスクは提供されていない。
【考案の概要】
【考案が解決しようとする課題】
【０００３】  一般的に使用されている不織布マスクのプリーツ型家庭用マスクを基本タイプとして記述する。コロナ禍での外食時の不便さの解消を目的とする。
つまり具体的には、
（イ）マスクをつけたままで飲食する時は、食時で使わない他方の手でマスクの片方の耳かけゴムを外して、飲食物を口に運んで口に含んだら、また耳かけゴムをかけ直す。一口毎に、この動作を都度繰り返すのは現実的には無理がある。
（ロ）しかもこの方法は口に含んだ後、咀嚼するたびにマスクが唇と擦れ合って不快感があり、さらにマスク全体が上下にずれて落ち着かず、食時そのものの楽しみが半減する。
（ハ）食時の時だけマスクの顎付近のプリーツを縮めて、顎をすっぽり覆わないように着用して片手でマスクの下を持上げても、飲食物を口にうまく運べない。
（ニ）この方法も、マスク全体が上に持ち上がってガサガサすることに加えて、左右下端が広がらないので口に含めず、耳かけゴムの耳への圧迫感が耐え難い。
以上の不快感のため、現実的にはマスクを着用して食事をしている状況が極めて少ない。【０００４】  つまり、飲食時のマスク着用が感染症対策で極めて重要であるにも拘わらず定着しないのは、上記の問題、原因があるためであり、これを打破、解消する必要がある。
本考案はこのような課題を解決するために提供する。
【課題を解決するための手段】
【０００５】  プリーツ型家庭用マスク１の耳かけゴム２について、設置位置を以下の仕様とする。
これまでの前記プリーツ型家庭用マスク１においては、前記耳かけゴム２の接合位置はいずれの当該マスクも、一本の前記耳かけゴム２が左右両端において、上から下に繋がる形でそれぞれ一本ずつ設けられている。
それに対して本案のプリーツ型家庭用マスク１は、
（イ）耳かけゴム２は、左右ともに一本ずつ設けられている。
（ロ）耳かけゴム２の接合位置は左右ともに上部のみに設けられている。
（ハ）一本の耳かけゴム２は左右ともに、その両端が当該マスク１の上部で接近して繋がる形で設けられ、それぞれ左右の上部において耳にかける輪っか５を形成する。
【本案の効果】
【０００６】  本案のプリーツ型家庭用マスク１の左右両端の上部に耳かけゴム２を設置することにより、次の様態が発生し、感染症予防の効用は維持される。
（イ）プリーツ３を縮めて着用すれば、前記プリーツ型家庭用マスク１の上部でノーズフィッター４のみで目から下を押圧することにより、鼻から下に大きな空間が生まれ、フェイスガードの状況となる。
（ロ）この状態で口を大きく動かして咀嚼しても、前記プリーツ型家庭用マスク１に一切動きが響かない。
（ハ）従って、左右いずれかの手で前記プリーツ型家庭用マスク１の下部を持ち上げれば、飲食物を容易に口に運ぶことができる。
（ニ）しかも、食事中の会話も食べながら自由にできる状態となる。
（ホ）さらに食事中でも必要に応じて、顎部分のプリーツ３を下に広げて使用すればマスクの感染予防機能は充分に発揮できる。
【図面の簡単な説明】
【０００７】
【図１】  プリーツ型家庭用マスクの肌側面から視た平面説明図
【図２】  本案の第一の実施事例のプリーツ型家庭用マスクの肌側面から視た平面説明図
【図３】  本案の第二の実施事例のプリーツ型家庭用マスクの肌側面から視た平面説明図
【図４】  本案の第三の実施事例のプリーツ型家庭用マスクの肌側面から視た平面説明図
【考案を実施するための形態】
【０００８】  着用者の頭方向を上方向として説明する。
本案はプリーツ型家庭用マスク１において、前記プリーツ型家庭用マスク１の左右両端のそれぞれの上部に、耳かけゴム２が一本ずつ設けられ、その一本の前記耳かけゴム２の両端はともに当該マスク１の上部で、当該マスクと接合されている。この形態は従来のプリーツ型家庭用マスク１では、前記耳かけゴム２が左右両端で一本ずつ当該マスク１の上部と下部で接合されて繋がっている形態と異なっている。
つまり、これまでの耳かけゴム２は、当該マスク１の両端の上下で輪っか５を形成する形態で設けられていたが、本案は、当該マスク１の上部のみで前記輪っか５を形成する形態で設けられている。
左右の前記耳かけゴム２の接合位置は、当該マスク１の左右対称であるので、右側のみで以下の説明をする。
【０００９】  第一の実施事例につき図２に沿って説明する。
プリーツ型家庭用マスク１の右端の縁固め部分６の上部において、一本の耳かけゴム２の片端の一部を接合して、その位置に隣接した上下または左右の部位に、もう一方の片端の一部を接合して繋がって、耳にかける輪っか５を形成する。
【００１０】  第二の実施事例につき図３を参照。
一本の耳かけゴム２の片端の一部を、プリーツ型家庭用マスク１の右端の縁固め部分６の上部に接合し、当該耳かけゴム２のもう一方の片端の一部を当該マスク１のノーズフィッター４の終端に隣接した部位に接合して、耳にかける輪っか５を形成する。
【００１１】  第三の実施事例につき図４を参照。
プリーツ型家庭用マスク１のノーズフィッター４の終端に隣接した部位に、一本の耳かけゴム２の両端の一部を上下または左右に隣接して接合して、耳にかける輪っか５を形成する。
【００１２】  前記プリーツ型家庭用マスク１の各実施事例につき、その長所、短所を説明する。
（第一の実施事例）
（イ）当該マスク１の上部両端で、前記耳かけゴム２を接合して輪っか５を形成しているので、左右の頬にできる空間は一番狭く、前記ノーズフィッター４の感触も違和感がない。
（ロ）着用中に必要に応じて、当該マスク１の下部を下げて前記プリーツ３を広げれば、顎下まで充分に覆いかぶさるので、頬の空間が狭まり新型コロナウィルスの感染リスクの懸念は少ない。
（第二の実施事例）
（イ）これは、第一の実施事例とほぼ同様であるが、当該マスク１の下部が外側にやや広がっているので、食事はさらに摂り易い。
（第三の実施事例）
（イ）食事を主たる目的とする形態である。
（ロ）頬に生じる空間は相当広くなり、当該マスク１の下部の持上げが楽になるため、食事中に感じる煩わしさは少ない。
（ハ）食事中以外の使用は好ましくない。
【００１３】  外食時の望ましい状態は、ウィルスに感染しない、感染させないために、会食時は黙食で都度一口毎にマスクの耳かけゴムの片方をかけ、外しすることである。
しかしながら現実的には、数人での会食時にはそのような状態は見かけられず、マスクを取り外したままの状況がほとんどである。
一方で、一人で食事の場合は一口毎にマスクを下に大きくずり下げて、すぐマスクを戻す様子を度々見かける。
つまり、一人の時はウイルスの感染リスクを用心深く認識するので問題はないが、数人での会食時に平易に着用され、かつ感染防止効果のあるマスクの提供が喫緊の課題となっている。
本案のプリーツ型家庭用マスク１はこの課題を解決するために、現在流通されている当該マスクの耳かけゴム２の形態を新しくして、製造面も楽で且つ使い捨て感覚で使用できるものとして提供する。これは家庭用マスクの平型や立体型にも適用可能である。
【符号の説明】
【００１４】  １    プリーツ型家庭用マスク
２    耳かけゴム
３    プリーツ
４    ノーズフィッター
５    輪っか
６    縁固め部分
７    不織布の上辺縁
８    不織布の下辺縁
【図１】
0003235408.tif 000003
【図２】
0003235408.tif 000004
【図３】
0003235408.tif 000005
【図４】
0003235408.tif 000006